(57)【要約】【課題】接着剤の溢れの防止および狭額縁化を可能にすること。【解決手段】本発明の接着構造において、筐体（１０）の枠（２０）は、第１支持部（１１）または第２支持部（１３）の少なくとも一方に、接着剤充填部（１５）に面して、接着剤充填部（１５）からあふれ出た接着剤（３０）が集められる空間であるバッファ部（１７）が形成されている。【選択図】図１
2014067916.tif 000002
【特許請求の範囲】
【請求項１】
上面に開口部が設けられ、該開口部に板状部材が嵌め込まれ、接着部材を介して前記板状部材と固定される筐体の接着構造であって、
前記筐体の枠は、前記板状部材の厚み部分を側方から支持する枠状の第１支持部と、前記板状部材の周縁部を下方から支持する枠状の第２支持部と、前記接着部材が充填される空間である枠状の接着部材充填部とを備え、
前記接着部材充填部は、前記第１支持部と前記第２支持部との間に形成され、
前記第１支持部または前記第２支持部の少なくとも一方に、前記接着部材充填部に面して、前記接着部材充填部からあふれ出た接着部材が集められる空間であるバッファ部が形成されていることを特徴とする、接着構造。
【請求項２】
前記接着部材充填部の底部を構成する枠状の水平面は、前記第２支持部が前記板状部材を支持する水平面より低く、
前記接着部材充填部は、充填された接着部材を介して前記板状部材の周縁部を下方から支持することを特徴とする、請求項１に記載の接着構造。
【請求項３】
前記接着部材充填部の底部を構成する水平面の幅と、前記第２支持部の前記板状部材を支持する接触面の幅とを合わせた接着幅が２ｍｍ以下であることを特徴とする、請求項１または２に記載の接着構造。
【請求項４】
前記バッファ部の体積は、前記接着部材充填部の体積の２０％以上であることを特徴とする、請求項１から３のいずれか１項に記載の接着構造。
【請求項５】
前記接着部材は、硬化前の粘度が１〜１００Ｐａ・ｓの範囲であることを特徴とする、請求項１から４のいずれか１項に記載の接着構造。
【請求項６】
請求項１から５のいずれか１項に記載の接着構造の筐体を用いた、携帯情報端末。
【発明の詳細な説明】
【技術分野】
【０００１】
本発明は、筐体の接着構造及びそれを用いた携帯情報端末に関する。
【背景技術】
【０００２】
携帯端末などの情報端末は、図５に示されるように、筐体１内部に回路基板、バッテリー、バックライトなどの機器５が配置されるため、筐体１内部の気密性を保つために筐体１の枠と表示パネルのカバーガラス３の周縁部とを接着部材で接着させている。
【０００３】
接着部材としては、接着剤や両面テープなどが使用されている。例えば接着剤を使用する場合、筐体１とカバーガラス３とを接着させるときの押圧により接着剤が筐体１とカバーガラス３との隙間から溢れることがあり、それを防ぐ工夫が考えられている。また、防水パッキンを用いずに、防水性の両面テープで防水可能に接着する技術も考えられている。これらの例として、特許文献１は、箱体に対する蓋の気密性を高めるための気密接着方法を開示し、特許文献２は、簡素な防水構造を有する携帯電子機器を開示している。
【０００４】
特許文献１に記載の気密接着方法は、開口周縁部の内側に段差を有する箱体の前記開口周縁部の内側水平面に両面接着テープを貼付けし、この開口部に蓋を挿嵌させる仮固定工程と、蓋周囲と箱体の開口周縁部との間隙に接着剤を充填する接着剤充填工程と、前記接着剤を硬化させて箱体に蓋を固定する接着剤硬化工程とを含む。
【０００５】
特許文献２に記載の携帯電子機器は、第１筐体と、前記第１筐体上の一の面側に固定され、電子部品を備える電子モジュールと、防水性の接着部材を介して、前記第１筐体に水密に取り付けられることにより、前記電子モジュールを覆う第１カバーと、前記第１筐体上の他の面側に固定され、回路基板を含む基板モジュールと、防水性の接着部材を介して、前記第１筐体に水密に取り付けられることにより、前記基板モジュールを覆う第２カバーとを有する。
【先行技術文献】
【特許文献】
【０００６】
【特許文献１】特開平２−１０８９１号公報（１９９０年１月１６日公開）
【特許文献２】特開２０１２−９５１５２号公報（２０１２年５月１７日公開）
【発明の概要】
【発明が解決しようとする課題】
【０００７】
しかしながら、特許文献１に記載の技術は、両面接着テープで仮止めしたうえで、蓋周囲と箱体の開口周縁部との間隙に接着剤を充填するので、作業工程が多く、手間がかかる。また、蓋周囲と箱体の開口周縁部との間隙に接着剤を充填する際、両面接着テープの厚みが厚くなければ、この間隙から接着剤が溢れるといった問題がある。その一方で、両面接着テープの厚みが厚いと、箱体と蓋との間に隙間で生じてしまい、気密性を保つことができない。厚みが薄い両面接着テープを用いて、接着剤が溢れないようにする方法もあるが、箱体の両面接着テープが貼付けられる内側水平面の幅を広くする必要がある。この場合には、箱体の枠の幅も広くなり、携帯端末などに利用した場合、額縁部分が広くなるといった問題がある。
【０００８】
一方、特許文献２に記載の技術は、第１筐体への第１カバーの取付と第２筐体への第２カバーの取付とは、防水性の接着部材、具体的には両面テープによるので、強く接着させるためには、両面テープの幅を、ある程度大きくする必要がある。このため、両面テープの幅に合わせて、第１，２筐体の枠の幅を大きくしなければならず、特許文献１と同様に、携帯端末などに利用した場合、額縁部分が広くなるといった問題がある。また、このような両面テープは、シートを枠型にくり抜いて形成されるため、機器が大きくなると無駄になる部分が増え、コスト高になるといった問題もある。
【０００９】
本発明は、上記課題を解決するためになされたものであり、この発明の目的は、接着部材の溢れの防止および狭額縁化が可能な接着構造及びそれを用いた携帯情報端末を提供することである。
【課題を解決するための手段】
【００１０】
上記の課題を解決するために、本発明の一態様に係る接着構造は、上面に開口部が設けられ、該開口部に板状部材が嵌め込まれ、接着部材を介して前記板状部材と固定される筐体の接着構造であって、前記筐体の枠は、前記板状部材の厚み部分を側方から支持する枠状の第１支持部と、前記板状部材の周縁部を下方から支持する枠状の第２支持部と、前記接着部材が充填される空間である枠状の接着部材充填部とを備え、前記接着部材充填部は、前記第１支持部と前記第２支持部との間に形成され、前記第１支持部または前記第２支持部の少なくとも一方に、前記接着部材充填部に面して、前記接着部材充填部からあふれ出た接着部材が集められる空間であるバッファ部が形成されている。
【発明の効果】
【００１１】
本発明の一態様によれば、接着部材の溢れの防止および狭額縁化を可能にするといった効果を奏する。
【図面の簡単な説明】
【００１２】
【図１】本実施の形態における接着構造を示す図である。
【図２】変形例１における接着構造を示す図である。
【図３】変形例２における接着構造を示す図である。
【図４】本発明に対する比較例における接着構造を示す図である。
【図５】筐体と、表示パネルを保護するためのカバーガラスとを示す図である。
【発明を実施するための形態】
【００１３】
図面を参照しつつ、本発明の実施の形態について説明する。以下の説明では、同一の部材には同一の符号を付してある。それらの名称および機能も同じである。したがって、それらについての詳細な説明は繰り返さない。
【００１４】
図１（ａ），（ｂ）は、本実施の形態における接着構造を示す図である。図１（ａ）は筐体に、表示パネルを保護するためのカバーガラスが接着される前の状態を示す斜視図であり、図１（ｂ）は筐体に、表示パネルを保護するためのカバーガラスが接着された後の状態を示す断面図である。図１（ａ），（ｂ）を参照して、本発明の接着構造について説明する。
【００１５】
本発明の情報端末の一例としての携帯端末が備える筐体１０は、基板、バッテリー、バックライト等が内部に配置され、上面に設けられた開口部に板状のカバーガラス（板状部材）５０が嵌め込まれ、筐体１０とカバーガラス５０とが接着剤（接着部材）３０により接着される。筐体１０の枠２０は、表示パネルを保護するためのカバーガラス５０を支持するための第１支持部１１および第２支持部１３と、接着剤３０が充填される接着剤充填部（接着部材充填部）１５と、接着剤充填部１５から漏れ出る接着剤３０を集めるバッファ部１７とが形成される。
【００１６】
接着剤充填部１５は、第１支持部１１と第２支持部１３との間の枠状の空間であり、その空間に接着剤３０が充填される。接着剤充填部１５は、空間の底部を構成する枠状の水平面１５ａを有している。
【００１７】
第１支持部１１は、カバーガラス５０を側方から支持する枠状の凸部であり、この凸部の内周側に接着剤充填部１５が形成されている。また、第１支持部１１は、接着剤充填部１５の底部を構成する水平面１５ａより高い水平面１１ａと、接着剤充填部１５の底部を構成する水平面１５ａに隣接した垂直面１１ｂとを有する。この水平面１１ａおよび垂直面１１ｂと、接着剤充填部１５の底部を構成する水平面１５ａとで段差を形成する。第１支持部１１の垂直面１１ｂが、カバーガラス５０の厚み方向の面を挟み込むことで、カバーガラス５０を側方から支持する。カバーガラス５０を側方から支持するとは、換言すると、カバーガラス５０の側方への移動を規制することである。
【００１８】
第２支持部１３は、カバーガラス５０を下方から支持する枠状の凸部であり、接着剤充填部１５の内側に形成されている。第２支持部１３の凸部は、第１支持部１１が有する水平面１１ａより低く、接着剤充填部１５の底部を構成する水平面１５ａより高い水平面１３ａと、接着剤充填部１５の底部を構成する水平面１５ａに隣接した垂直面１３ｂとを有する。この水平面１３ａおよび垂直面１３ｂと、接着剤充填部１５の底部を構成する水平面１５ａとで段差を形成する。第２支持部１３の水平面１３ａが、カバーガラス５０の底面の周縁を下方から支持する。なお、第１支持部１１の水平面１１ａと第２支持部１３ａの水平面１３ａとの差は、カバーガラス５０の厚みと同程度であることが好ましい。
【００１９】
バッファ部１７は、第２支持部１３に凹みが形成されることによってできる空間であり、接着剤３０が接着剤充填部１５から漏れた場合、この空間に接着剤充填部１５から漏れた接着剤３０が集められる。第２支持部１３には複数のバッファ部１７が形成され、複数のバッファ部１７それぞれは、第２支持部１３が、所定の間隔で水平面１３ａ側より所定の形状に切り欠かれることにより形成されている。
【００２０】
第２支持部１３は、接着剤充填部１５の底部を構成する水平面１５ａより低い水平面１７ａと、接着剤充填部１５の底部を構成する水平面１５ａに隣接した垂直面１７ｂとを、バッファ部１７の空間を構成する一部として有している。バッファ部１７は、具体的には略直方体形状の空間である。バッファ部１７の空間の一部を構成する水平面１７ａおよび垂直面１７ｂと、接着剤充填部１５の底部を構成する水平面１５ａとで段差を形成する。接着剤充填部１５に充填された接着剤３０が漏れた場合、接着剤３０は、この段差を通ってバッファ部１７に流入する。
【００２１】
また、複数のバッファ部１７のトータルの体積は、接着剤充填部１５の体積の２０％以上であることが好ましい。これにより、接着剤充填部１５の体積の±１０％の量の接着剤３０を充填させたとしても、接着剤充填部１５から漏れ出た接着剤３０が、バッファ部１７から漏れることなく集めることができる。
【００２２】
なお、接着剤充填部１５の体積とは、接着剤充填部１５の水平面１５ａの面積を底面積とし、これに水平面１５ａより突出している第２支持部１３の寸法を掛けた値である。また、バッファ部１７の体積とは、バッファ部１７において水平面１７ａの面積を底面積とし、この面積に水平面１７ａから第２支持部１３の水平面１３ａまでの寸法を掛けた値である。複数のバッファ部１７のトータルの体積は、個々について求めた体積を積算（累計）した値である。
【００２３】
また、接着剤３０は、バッファ部１７から流れ出ずに止まる粘度、例えば硬化前の粘度が１〜１００Ｐａ・ｓであることが好ましい。
【００２４】
また、接着剤充填部１５の底部を構成する水平面１５ａとバッファ部１７の底部を構成する水平面１７ａとを合わせた、枠２０の幅に相当する接着幅は、２ｍｍ以下であることが好ましい。これにより、両面テープを使用する構成に対して、筐体１０とカバーガラス５０との十分な接着を維持したまま、筐体１０とカバーガラス５０との接着幅を狭くすることができるといった効果を奏する。
【００２５】
図４は、本発明に対する比較例における接着構造を示す図である。本発明と異なりバッファ部の設け方に工夫がない場合、図４に示されるように、筐体の枠１００は、カバーガラス５０を側方から支持する枠状の凸部の第３支持部１０１と、カバーガラス５０の周縁部を下方から支持する枠状の凸部の第４支持部１０３と、第３支持部１０１と第４支持部１０４との間に設けられ、接着剤３０を介してカバーガラス５０の周縁部を下方から支持する枠状の凸部の接着剤塗布部１３０と、接着剤塗布部１３０と第３支持部１０１との間および接着剤塗布部１３０と第４支持部１０３との間それぞれにバッファ部１２０，１２１とを有する。バッファ部１２０，１２１は、枠状の空間である。
【００２６】
これに対して、本実施形態の筐体１０の枠２０は、第３支持部１０１に相当する第１支持部１１と、第４支持部１０３に相当する第２支持部１３、接着剤塗布部１３０に相当する接着剤充填部１５とを有しているが、バッファ部１２０、１２１に相当する部分を別途有することなく、第２支持部１３にバッファ部１７を設ける工夫をしている。このため、実質バッファ部１７のための空間は、第２支持部１３と第１支持部１１との間には存在しない。したがって、筐体の枠の幅を、比較例に対して小さくすることができる。
【００２７】
＜変形例１＞
本実施の形態における筐体１０の枠２０は、接着剤充填部１５とバッファ部１７とで段差を形成する構造であった。図２（ａ），（ｂ）に示されるように、変形例１における筐体１０の枠２０Ａは、接着剤充填部１５の底部を構成する水平面１５ａとバッファ部１７の底部を構成する水平面１７ａとが同一平面上にある構造であってもよい。この場合、第２支持部１３に垂直面１７ｂは存在しないが、接着剤充填部１５から接着剤３０が漏れた場合、その接着剤３０はバッファ部１７に流入するので、バッファ部１７において集められる。
【００２８】
＜変形例２＞
変形例２においては、バッファ部１７が設けられる位置が本実施形態と異なる。図３（ａ），（ｂ）は、変形例２における接着構造を示す図である。図３（ａ）は筐体に、表示パネルを保護するためのカバーガラスが接着される前の状態を示す斜視図であり、図３（ｂ）は筐体に、表示パネルを保護するためのカバーガラスが接着された後の状態を示す断面図である。図３（ａ），（ｂ）を参照して、図１（ａ），（ｂ）と異なる点について主に説明する。
【００２９】
筐体１０の枠２０Ｂは、カバーガラス５０を支持するための第１支持部１１および第２支持部１３と、接着剤３０が充填される接着剤充填部１５と、接着剤充填部１５から漏れ出る接着剤３０を集める複数のバッファ部１７とが形成される。
【００３０】
第１支持部１１は、所定の間隔で垂直面１１ｂ側より所定の形状に切り抜かれることにより複数のバッファ部１７が形成されている。第１支持部１１は、接着剤充填部１５の底部を構成する水平面１５ａより低い水平面１７ａと、接着剤充填部１５の底部を構成する水平面１５ａに隣接した垂直面１７ｄとを、バッファ部１７を構成する一部として有する。この水平面１７ａおよび垂直面１７ｄと、接着剤充填部１５の底部を構成する水平面１５ａとで段差を形成する。接着剤充填部１５に充填された接着剤３０が漏れた場合、接着剤３０は、この段差を通ってバッファ部１７に流入する。
【００３１】
第２支持部１３は、カバーガラス５０を下方から支持する枠状の凸部であり、この凸部の外周側に接着剤充填部１５が形成されている。また、第２支持部１３は、接着剤充填部１５の底部を構成する水平面１５ａより高い水平面１３ａと、接着剤充填部１５の底部を構成する水平面１５ａに隣接した垂直面（凸部の外周側の面）１３ｂとを有する。この水平面１３ａおよび垂直面１３ｂと、接着剤充填部１５の底部を構成する水平面１５ａとで段差を有する。
【００３２】
なお、本発明の接着構造は、第１支持部または第２支持部のいずれかにバッファ部を設けるようにしたが、これに限定するものではない。第１支持部および第２支持部の両方に設けるようにしてもよい。
【００３３】
〔まとめ〕
本発明の一態様に係る接着構造は、上面に開口部が設けられ、該開口部に板状部材が嵌め込まれ、接着部材を介して前記板状部材と固定される筐体の接着構造であって、前記筐体の枠は、前記板状部材の厚み部分を側方から支持する枠状の第１支持部と、前記板状部材の周縁部を下方から支持する枠状の第２支持部と、前記接着部材が充填される空間である枠状の接着部材充填部とを備え、前記接着部材充填部は、前記第１支持部と前記第２支持部との間に形成され、前記第１支持部または前記第２支持部の少なくとも一方に、前記接着部材充填部に面して、前記接着部材充填部からあふれ出た接着部材が集められる空間であるバッファ部が形成されている。
【００３４】
上記の構成によれば、バッファ部は、接着部材充填部に面しているので、接着部材充填部から接着部材が漏れ出た場合に、バッファ部に向けて接着部材が流れ、集められる。また、バッファ部は、第１支持部または第２支持部の少なくとも一方に形成されているので、筐体の枠において、バッファ部を設ける箇所を第１，２支持部以外に確保する必要がない。これにより、枠の幅を小さくすることができる。したがって、接着部材の溢れの防止および狭額縁化が可能な接着構造を提供することができる。
【００３５】
また、本発明の一態様に係る接着構造において、前記接着部材充填部の底部を構成する枠状の水平面は、前記第２支持部が前記板状部材を支持する水平面より低く、前記接着部材充填部は、充填された接着部材を介して前記板状部材の周縁部を下方から支持する。
【００３６】
上記の構成によれば、接着部材充填部の高さは、第２支持部が板状部材を支持する水平面と接着部材充填部の底部を構成する水平面との差によって一定に規定されている。このため、筐体に板状部材が嵌めこまれたとき、接着部材充填部の高さを越える余分な接着部材は、バッファ部に流入する。したがって、筐体と板状部材との接触部分に隙間ができることなく、互いを固定することができる。
【００３７】
また、本発明の接着構造は、前記接着部材充填部の底部を構成する水平面の幅と、前記第２支持部の前記板状部材を支持する接触面の幅とを合わせた接着幅が２ｍｍ以下である。
【００３８】
上記の構成によれば、両面テープを使用する構成に対して、筐体と板状部材との十分な接着を維持したまま、筐体の枠を狭くすることができるといった効果を奏する。
【００３９】
また、本発明の一態様に係る接着構造において、前記バッファ部の体積は、前記接着部材充填部の体積の２０％以上である。
【００４０】
上記の構成によれば、接着部材充填部の体積の±１０％の量の接着部材を充填させたとしても、接着部材充填部から漏れ出た接着部材が、バッファ部から漏れることなく集めることができる。
【００４１】
また、本発明の一態様に係る接着構造において、前記接着部材は、硬化前の粘度が１〜１００Ｐａ・ｓの範囲である。
【００４２】
上記の構成によれば、接着部材をバッファ部から流出させずに、留めることができる。
【００４３】
また、本発明の一態様に係る携帯情報端末は、前記接着構造の筐体を用いている。
【００４４】
上記の構成によれば、接着部材の溢れの防止および狭額縁化が可能な接着構造の筐体を用いた携帯情報端末を提供することができる。
【００４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４６】
１０  筐体
１１  第１支持部
１１ａ  水平面
１１ｂ  垂直面
１３  第２支持部
１３ａ  水平面
１３ａ  第２支持部
１３ｂ  垂直面
１５  接着剤充填部（接着部材充填部）
１５ａ  水平面
１７  バッファ部
１７ａ  水平面
１７ｂ，１７ｄ  垂直面
３０  接着剤（接着部材）
５０  カバーガラス（板状部材）
【図１】
2014067916.tif 000003
【図２】
2014067916.tif 000004
【図３】
2014067916.tif 000005
【図４】
2014067916.tif 000006
【図５】
2014067916.tif 000007